(57)【要約】【課題】肩ひも（ストラップ）等のテープ状の細幅織物において、耳部をソフトにして肌触りの良い細幅織物を提供すること。【解決手段】本体部と耳部とを有するテープ状の細幅織物であって、耳部には、経糸にて配した中心材を設け、この中心材と緯糸とによる織組織を形成し、さらに複数本の経糸からなる補助部材を上記中心材を取り囲むよう袋組織にて製織することにより、補助部材を中心材の周囲にカバー状に配する構成としたこと。【選択図】            図１
2005036343.tif 000002
【特許請求の範囲】
【請求項１】
本体部と耳部とを有するテープ状の細幅織物であって、耳部には、経糸にて配した中心材を設け、この中心材と緯糸とによる織組織を形成し、さらに複数本の経糸からなる補助部材を上記中心材を取り囲むよう袋組織にて製織することにより、補助部材を中心材の周囲にカバー状に配したことを特徴とする細幅織物。
【請求項２】
本体部と耳部とを有するテープ状の細幅織物であって、耳部には、経糸にて配した中心材を設け、この中心材と緯糸とによる織組織を形成し、さらに複数本の経糸からなる補助部材を上記中心材を取り囲むよう袋組織にて製織することにより、補助部材を中心材の周囲にカバー状に配しており、さらに、上記複数本の経糸によって袋組織に製織すると共に、経糸のさらに外側に別の経糸を配して２／２組織にて製織して当該糸の内側の経糸がループ状になるのを防止する構成としたことを特徴とする細幅織物。
【請求項３】
補助部材としての経糸は、４本ないし１６本を用いて製織する請求項１または２記載の細幅織物。
【発明の詳細な説明】
【０００１】
【発明の属する技術分野】
本発明は、ブラジャーの肩ひも（ストラップ）や細幅テープ等に使用される細幅織物地に関する。
【０００２】
【従来の技術および発明が解決しようとする課題】
従来からブラジャーの肩ひも（ストラップ）等の細幅生地として、テープ状に形成された細幅織物や細幅編地が採用されている。そのうち、従来の細幅織物による肩ひもは、図５および図６に示すように、耳部Ｅは経糸のスパンデックス９１と緯糸のウーリーナイロン糸９２が１／１の平組織で製織されており、耳部の構成として経糸のスパンデックス９１の外側周囲を緯糸９２が取り巻く形態となっていて、端面に緯糸９２が密に現れた構成となっている。
【０００３】
例えば、一般的なテープ状の細幅織物としては、特許文献１として示した特開平５−８６５３７号公報の図１に開示されているように、中空繊維１が経糸であり、これに緯糸２が二重に製織された構成が示されていて、緯糸２が経糸１の端面に密に現れた構成となっている。
しかしながら、上記従来の細幅織物では、耳部においてすべての緯糸９２，２が経糸９１，１に掛かっているため、経糸９１，１の外側に緯糸９２，２が連続して露出した状態で、かつ、経糸１に対して直交するように緯糸２が配置された状態となっている。
【０００４】
したがって、上記従来の細幅織物では、織物の端面に連続して現れた緯糸が肌に対して接触するため、刺激が強くて堅さを感ずることとなり、不快感を生ずるという欠点があった。
そこで、この発明は、肩ひも等のようなテープ状の細幅織物において、耳部をソフトにして肌触りの良い細幅織物を提供することを目的としている。
【０００５】
【特許文献１】
特開平５−８６５３７号公報
【０００６】
【課題を解決するための手段および発明の効果】
上記した目的を達成する本発明による細幅織物は、本体部と耳部とを有するテープ状の細幅織物であって、耳部には、経糸にて配した中心材を設け、この中心材と緯糸とによる織組織を形成し、さらに複数本の経糸からなる補助部材を上記中心材を取り囲むよう袋組織にて製織することにより、補助部材を中心材の周囲にカバー状に配したことを特徴としている。
【０００７】
上記発明の細幅織物によれば、耳部を構成する中心材を取り囲むように補助部材を袋組織にて製織しているので、耳部の緯糸を部分的に経糸で被うことができ、緯糸が耳部端部に連続して露出することが無くなる。
したがって、当該細幅織物を用いて肩ひも等に構成した場合において、緯糸が直接肌に当たることが無く、強い刺激が発生するのを防止することができてソフトな感触を有する肩ひも等となし得るもので、不快感の生じない商品を提供することができる。
【０００８】
また、この発明の請求項２記載の細幅織物は、本体部と耳部とを有するテープ状の細幅織物であって、耳部には、経糸にて配した中心材を設け、この中心材と緯糸とによる織組織を形成し、さらに複数本の経糸からなる補助部材を上記中心材の周囲に袋組織にて製織することにより、補助部材を中心材の周囲にカバー状に配しており、さらに、上記複数本の経糸によって袋組織に製織すると共に、経糸のさらに外側に別の経糸を配して２／２組織にて製織して当該糸の内側の経糸がループ状になるのを防止する構成としたことを特徴としている。
【０００９】
この発明の請求項２記載の細幅織物としては、上記のように、ソフトな耳部を有する細幅織物を提供することができると共に、袋組織に製織することによって、補助部材がループ状になり易いが、この発明によれば、補助部材の外側に経糸を追加して２／２組織にて製織することにより、その内側の補助部材としての経糸のループ化を防止することができ、体裁の良い耳部を有する細幅織物を提供することができる。
【００１０】
さらに、この発明の請求項３記載の細幅織物は、上記補助部材としての経糸は、４本ないし１６本を用いて製織することを特徴としており、袋組織を有効に製織することができると共に、中心材の太さ等の条件に応じて補助部材の本数を決定することができる。したがって、中心材に応じた最適な耳部を有する細幅織物を提供することができるものであり、中心材を有する耳部であってもソフトな肌触りの細幅織物を提供することができる。
【００１１】
【発明の実施の形態】
次いで、本発明による実施の態様について図を参照しながら以下に説明する。
図１は本発明に係る細幅織物の要部の概略組織図、図２は耳部の概略断面図、図３は組織を示す拡大平面図である。
図において、細幅織物１は、ブラジャーの肩ひも（ストラップ）等の細幅のテープ状織物であり、本体部１０と耳部２０とからなっている。本体部１０はテープ状の基体で、例えば、経糸１０ａとしてナイロンブライト（１４５デシテックス／１本−２４フィラメント）を用い、緯糸１５としてのナイロンダル（１２２デシテックス／１本−３０フィラメント）を１／１組織にて製織した形態のもので、伸縮性を保持するため所定の間隔を空けてスパンデックス１０ｂを挿入している。
【００１２】
そして、本体部１０の両側に現れた耳部２０ａ，ｂは、端部の形状を保持すると共に、伸縮性を保持する経糸としてのスパンデックスからなる中心材２１と、中心材２１の周りに配置した経糸としてウーリーナイロンを主とする補助部材としてのカバー部材２２とによって構成している。中心材２１は、耳部の形態を維持すると共に伸縮性を付与することができるように、例えば９４０デシテックスのスパンデックスに１２２デシテックスのウーリーナイロンをダブルカバーリングしたものを採用している。そして、カバー部材２２は、ウーリーナイロン（３３デシテックス２本縒り、１０フィラメント）を１／３袋組織にて製織してあり、横断面において中心材２１を取り巻く状態となって配置されている。カバー部材２２は、この実施の形態では、８本のウーリーナイロンを使用しており、１／３袋組織をダブル（符号２２ａ〜ｄ，２２ａ’〜ｄ’で示す）に形成している。
【００１３】
さらに、この実施の形態では、一方の耳部２０ａにおいて、カバー部材２２を１／３袋組織に製織したことによって、最外側となるカバー部材２２ａが、図３のＸで示すように、６ウェール間にわたって緯糸１５と組み合わされていないので、製織後の生地の収縮によってループ状となり易い（図４参照）。このため、カバー部材２２ａとしての経糸２２ａの外側にさらに１本の別の経糸２３を挿入している。この経糸２３は、２／２組織で製織しており、Ｙの範囲では、緯糸と組み合わされず、Ｚ位置で経糸２２ｂと初めて組み合わされることとなる。
【００１４】
したがって、このような組織を採用することにより、この発明のようにカバー部材２２を袋組織にて製織しても経糸２２ａがループ状になることはなく、体裁の良い細幅織物を提供することができる。
なお、上記経糸２３を１／１組織にて製織することにより、カバー部材２２ａのループを防止することも考えられるが、この場合には従来例と同様な構成になり、耳端部のソフト感が損なわれるものである。
【００１５】
経糸２３は、例えば７８デシテックスのスパンデックスに４４デシテックスのウーリーナイロンをシングルカバーリングした糸を用いている。
また、反対側の耳部２０ｂにおいては、緯糸の供給側であって上記耳部２０ａのようなループが生ずることはない。
この耳部２０ｂにおいては、カバー部材２２の外側にはカラミ糸２４を用いた解れ防止形態としており、公知の二重ループ（いわゆるシステム３）によって解れ防止を行っている。
【００１６】
上記の実施の形態では、カバー部材２２として８本の経糸を用いた例を示したが、カバー部材として経糸を最小４本を用いることによって１／３袋組織にて製織することができ、耳部の中心材をカバーすることができるものである。そして、経糸の本数は２本単位で増やすことが可能であり、中心材の太さによって経糸の本数を決定することができるもので、最大本数としては１６本とすることができる。
【００１７】
上記実施の形態の細幅織物１は、耳部２０ａ，ｂを構成する中心材２１を取り囲むように補助部材としてのカバー部材２２を袋組織にて製織しているので、耳部２０ａ，ｂの緯糸１５を部分的に経糸２２で被うことができ、緯糸１５が耳部２０ａ，ｂの端部に連続して露出することが無い。したがって、当該細幅織物１を用いて肩ひも等に構成した場合にも、緯糸１５が直接肌に当たることが無くなり、強い刺激の発生を防止してソフトな肩ひも等となし得るもので、不快感の生じない商品を提供することができる。
【００１８】
また、カバー部材２２を袋組織に製織することによって、経糸２２ａがループ状になり易いが、この実施の形態の細幅織物１によれば、経糸２２ａの外側に経糸２３を追加して２／２組織にて製織することにより、その内側の経糸２２ａのループ化を防止することができ、体裁の良い耳部を有する細幅織物１を提供することができる。
さらに、カバー部材２２は、この実施の形態のように、８本の経糸を用いて袋組織にて製織したが、経糸は４本から１６本の間にて任意に設定することができ、中心材２１の太さ等の条件に応じてカバー部材２２の本数を決定することができる。したがって、伸縮可能な中心材２１を含む好適な耳部を有する細幅織物を提供することができるものであり、スパンデックス等の伸縮性素材からなる中心材２１を有する耳部であってもソフトな肌触りの細幅織物を提供することができる等、優れた効果を奏するものである。
【００１９】
なお、上記した実施の形態にて示した糸は、参考例として示したものであって、太さや本数は特に限定するものではなく、細幅織物として種々の糸を採用することができるものであり、耳部をソフトに形成するための構成として袋組織を採用することができるものであれば種々の形態の細幅織物に採用可能である。
【図面の簡単な説明】
【図１】本発明に係る細幅織物の要部の概略組織図である。
【図２】耳部の概略断面図である。
【図３】組織を示す拡大平面図である。
【図４】要部の概略平面図である。
【図５】従来例を示す拡大平面図である。
【図６】従来例を示す断面図である。
【符号の説明】
１      細幅織物
１０    本体部
１５    緯糸
２０ａ，ｂ    耳部
２１    中心材
２２    補助部材（カバー部材）
２３    経糸
【図１】
2005036343.tif 000003
【図２】
2005036343.tif 000004
【図３】
2005036343.tif 000005
【図４】
2005036343.tif 000006
【図５】
2005036343.tif 000007
【図６】
2005036343.tif 000008